(57)【要約】【課題】電子時計において複数の機能を持たせつつ操作性を向上させる。【解決手段】アナログ電子時計１００は、引き出し可能なりゅうず１８１と、ボタン１８２，１８３と、制御部とを備える。制御部は、ボタン１８３が操作されることで切り替わるモードに対応する複数の機能を実行し、ボタン１８３が操作された場合にりゅうず１８１の引き出し状態に基づいてモードの切り替えを行うか否かを判断する。【選択図】図１
2020098107.tif 000002
【特許請求の範囲】
【請求項１】
本体部から引き出し可能なりゅうずと、操作部と、制御部と、を備え、
前記制御部は、
前記操作部が操作されることで切り替わるモードに対応する複数の機能を実行し、
前記操作部が操作された場合に前記りゅうずの引き出し状態に基づいて前記モードの切り替えを行うか否かを判断する
ことを特徴とする電子時計。
【請求項２】
前記りゅうずは、１段引きと２段引きの状態があり、
前記制御部は、前記操作部が操作された場合に、前記りゅうずが１段引きの状態、または２段引きの状態であれば前記モードの切り替えを実行する
ことを特徴とする請求項１に記載の電子時計。
【請求項３】
前記制御部は、前記操作部が操作された場合に、前記りゅうずが引き出されていない状態であれば前記モードの切り替えを実行しない
ことを特徴とする請求項１または２に記載の電子時計。
【請求項４】
前記電子時計は、通信装置と通信可能な通信モジュールを、さらに備え、
前記制御部は、前記通信装置から受信した信号に応じて前記モードの切り替えを実行する
ことを特徴とする請求項１〜３の何れか１項に記載の電子時計。
【請求項５】
前記複数の機能は、時刻表示、ストップウォッチ、アラーム、タイマーの何れかを含む
ことを特徴とする請求項１〜４の何れか１項に記載の電子時計。
【請求項６】
本体部から引き出し可能なりゅうずと、操作部と、制御部と、を備える電子時計の制御方法であって、
前記電子時計は、
前記操作部が操作されることで切り替わるモードに対応する複数の機能を実行し、
前記操作部が操作された場合に前記りゅうずの引き出し状態に基づいて前記モードの切り替えを行うか否かを判断する
ことを特徴とする制御方法。
【発明の詳細な説明】
【技術分野】
【０００１】
本発明は、複数の機能を備え、操作が容易である電子時計および制御方法に関する。
【背景技術】
【０００２】
電子式腕時計において、機能の切り替えや時刻設定などの操作を行うために、りゅうずとボタンとを備えることが一般的である。例えば、特許文献１に記載の発明においては、表示修正モードを切り替えるために、りゅうずを１段または２段引いたり、ボタンを押したり、ボタンを３秒間押したり、複数のボタンを同時に６秒間押したりする操作を行う（特許文献１の図７および図２１参照）。
【先行技術文献】
【特許文献】
【０００３】
【特許文献１】特開２０１５−１８４１８６号公報
【発明の概要】
【発明が解決しようとする課題】
【０００４】
りゅうずを引く段数や押すボタン、ボタンを押す時間を組み合わせることで、多数の操作を行うことが可能であり、さまざまな機能（モード）の切り替えや設定などが可能となる。しかしながら、機能や設定項目の数が多いと、腕時計の利用者が所望する機能や設定項目に切り替える操作としての、りゅうずを引く段数や押すボタン、ボタンを押す時間などが複雑となる。
【０００５】
また、通常の時計としての時刻表示以外の機能では、ボタン操作を行う必要があるが、このボタン操作と、機能を切り替えるためのボタン操作とを利用者は混同してしまうおそれがある。例えば、ストップウォッチ機能においては、計時の開始および停止を指示するためのボタン操作が必要である。腕時計に複数のボタンが備わっていると、計時の開始および停止を指示するためのボタンと、ストップウォッチ機能以外の機能に切り替えるボタンとを混同してしまい、誤操作が発生する原因となる。また、利用者が意図せずに誤って機能を切り替えてしまい、誤って機能を切り替えたことに気がつかないままりゅうずやボタンの操作を続けて、誤って設定してしまったり、意図したとおりに時計が機能しなかったりする。このような誤操作を減らすために機能切り替え専用のボタンを設けると、製造原価が増加してしまう。
【０００６】
本発明は、このような背景を鑑みてなされたものであって、複数の機能を持たせつつ誤操作を防止することのできる電子時計および制御方法を提供する。例えば、本発明の電子時計によれば、誤操作が起こりにくい機能の切り替えが可能となる。
【課題を解決するための手段】
【０００７】
前記した課題を解決するため、電子時計は、本体部から引き出し可能なりゅうずと、操作部と、制御部と、を備え、前記制御部が、前記操作部が操作されることで切り替わるモードに対応する複数の機能を実行し、前記操作部が操作された場合に前記りゅうずの引き出し状態に基づいて前記モードの切り替えを行うか否かを判断することをを特徴とする。
【発明の効果】
【０００８】
本発明によれば、複数の機能を持たせつつ誤操作を防止することのできる電子時計および制御方法を提供することができる。
【図面の簡単な説明】
【０００９】
【図１】第１の実施形態に係るアナログ電子時計の正面図である。
【図２】第１の実施形態に係るアナログ電子時計の内部構成を示すブロック図である。
【図３】第１の実施形態に係るケーシングの内部におけるりゅうずの近傍を示した図である。
【図４】第１の実施形態に係るアナログ電子時計の機能切り替えにおける状態遷移図である。
【図５】第１の実施形態に係るストップウォッチ通常状態のアナログ電子時計の正面図である。
【図６】第２の実施形態に係るアナログ電子時計の機能切り替えシステムの全体構成を示す図である。
【図７】第２の実施形態に係るアナログ電子時計の内部構成を示すブロック図である。
【図８】第２の実施形態に係る携帯端末の内部構成を示すブロック図である。
【図９】第２の実施形態に係る連携プログラムの実行中にタッチパネルディスプレイに表示される機能切り替え画面の画面構成図である。
【図１０】第２の実施形態に係る携帯端末との連携による機能切り替え処理のフローチャートである。
【図１１】第２の実施形態に係るアナログ電子時計の機能切り替えにおける状態遷移図である。
【発明を実施するための形態】
【００１０】
本発明を実施するための形態（実施形態）におけるアナログ電子時計を説明する。図１は、第１の実施形態に係るアナログ電子時計１００の正面図である。アナログ電子時計１００は、利用者の腕に装着される時計であって、時刻表示機能、ストップウォッチ機能、アラーム機能、タイマー機能などを有し、ケーシング１０１および文字盤１１０を備える。なお、アナログ電子時計１００が、現在時刻を表示する時刻表示機能として利用されているモードを時刻表示モード（時刻表示機能モード）とも記す。ストップウォッチ機能、アラーム機能およびタイマー機能についても同様であり、それぞれストップウォッチモード（ストップウォッチ機能モード）、アラームモード（アラーム機能モード）およびタイマーモード（タイマー機能モード）とも記す。
【００１１】
文字盤１１０には、秒針１１１と分針１１２と時針１１３とが設けられている。また、文字盤１１０の中央左側には、小分針１２１および小時針１２２を備える小窓１２０が設けられている。さらに、文字盤１１０の中央下側には、モード針１３１を備える機能窓１３０が設けられている。
【００１２】
文字盤１１０の中央右側には、開口部１４１が設けられている。文字盤１１０の露出面の反対側に文字盤１１０と平行して、１〜３１の日付が表された日車１４２が回転可能に設けられており、開口部１４１から１つの日付が露出されることで、現在日を示す。
ケーシング１０１の右側面には、りゅうず１８１、ボタン１８２およびボタン１８３が設けられている。
【００１３】
秒針１１１と分針１１２と時針１１３とは、文字盤１１０の中心に回転軸を有し、文字盤１１０の周辺部にある目盛りを指し示して現在時刻を表示する。小分針１２１および小時針１２２は、小窓１２０の中心に回転軸を有し、設定された世界の都市における時刻（ワールドタイムとも記す）を表示する。なお、設定可能な都市は、文字盤１１０の周辺部に表されている。例えば、おおよそ２１分の方向にある文字盤１１０の周辺部には東京を示す「ＴＹＯ」が表されている。
【００１４】
モード針１３１は、機能窓１３０の中心に回転軸を有し、アナログ電子時計１００の現在の状態に対応した機能や曜日を指し示して表示する。時刻表示機能（時刻表示機能モード）において、機能窓１３０の６時の方向から２時の方向にある「Ｓｕ」、「Ｍ」、「Ｔ」、「Ｗ」、「Ｔ」、「Ｆ」、「Ｓ」は、日曜から土曜を表す。図１では、モード針１３１は、現在日が日曜日であることを指し示している。
【００１５】
ストップウォッチ状態、アラーム状態およびタイマー状態においては、モード針１３１は、それぞれ「ＳＴ」、「ＡＬ」および「ＴＲ」を指し示す。後記する図５において、モード針１３１は、アナログ電子時計１００がストップウォッチ状態であることを指し示している。
【００１６】
電池残量の表示状態においては、モード針１３１は、「Ｈ」、「Ｍ」または「Ｌ」を指し示し、電池残量が高、中または低であることを示す。
サマータイムを設定する場合またはサマータイムの設定内容を表示する状態では、モード針１３１は、「ＤＳＴ」、「ＳＴＤ」または「ＡＴ」を指し示し、それぞれ常にサマータイム、常にスタンダードタイムまたは自動切り替えであることを示している。
【００１７】
図２は、第１の実施形態に係るアナログ電子時計１００の内部構成を示すブロック図である。アナログ電子時計１００は、ＣＰＵ（Central Processing Unit）２１０、ＲＯＭ（Read Only Memory）２４１、ＲＡＭ（Random Access Memory）２４２、発振回路２５１、分周回路２５２、計時回路２５３、りゅうず１８１、操作部２６０、駆動回路２８０、ステッピングモータ（図２では「ＳＭ」と記載）２２１〜２２７、輪列機構２３１〜２３７を含んで構成される。
【００１８】
ＲＯＭ２４１は、時刻表示機能などのアナログ電子時計１００の動作を制御するプログラム（不図示）やワールドタイム設定に必要なデータなどを記憶する。ＲＡＭ２４２は、ＲＯＭ２４１に記憶されたプログラムを記憶したり、アナログ電子時計１００の動作の制御に必要な一時的なデータを記憶したりする。
【００１９】
ＣＰＵ２１０は、ＲＯＭ２４１からＲＡＭ２４２にプログラムをロードして実行することで、アナログ電子時計１００の動作を制御し、時刻表示機能他の機能の提供や、機能の切り替え（後記する図４参照）を行う。
発振回路２５１は、例えば水晶発振器を用いて、所定の周波数信号を生成して、後記する分周回路２５２に出力する。分周回路２５２は、周波数信号を分周して、計時回路２５３やＣＰＵ２１０に出力する。 計時回路２５３は、分周回路２５２から入力された信号を計数して初期値に加算することで、現在の日時を算出する。
【００２０】
りゅうず１８１は、利用者からの入力操作を受け付けて、当該入力操作に応じた信号をＣＰＵ２１０に出力する。りゅうず１８１の引きおよび戻しの操作の検出については、後記する図３で説明する。操作部２６０は、ボタン１８２，１８３を含み、利用者からの入力操作を受け付けて、当該入力操作に応じた信号をＣＰＵ２１０に出力する。
【００２１】
駆動回路２８０は、ＣＰＵ２１０から入力された制御信号に従ってステッピングモータ２２１〜２２７に所定電圧の駆動パルスを出力する。ステッピングモータ２２１〜２２７は、複数の歯車の配列である輪列機構２３１〜２３７を介して、それぞれ秒針１１１、分針１１２、時針１１３、小分針１２１、小時針１２２、モード針１３１、日車１４２を回転動作させる。
アナログ電子時計１００は、電源を供給する電源、アラーム機能やタイマー機能で報知音を出力するブザーなどを備えるが、図示していない。
【００２２】
図３は、第１の実施形態に係るケーシング１０１の内部におけるりゅうず１８１の近傍を示した図である。図３を参照しながら、りゅうず１８１の引きと戻し、およびりゅうず１８１が引かれた段数を検知する機構を説明する。
【００２３】
巻真１７１は、丸棒状に形成され、その一端（図３では巻真１７１の右側）にりゅうず１８１が取り付かれている。巻真１７１は、その軸方向に移動操作（りゅうず１８１の引きと戻し）可能で、かつ軸を中心として回転操作可能であって、段差凹部１７３および軸部１７２が設けられている。
【００２４】
連動アーム１７５と接触ばね部１７４は、支点１７６を中心に一体となって回転可能に設けられている。連動アーム１７５は段差凹部１７３内に配置されている。りゅうず１８１の引きや戻しに応じて、軸方向に段差凹部１７３が移動し、段差凹部１７３の移動に応じて連動アーム１７５が回転し、接触ばね部１７４が、接点部１７９Ａ，１７９Ｂ，１７９Ｃ間を移動する。また、連動アーム１７５が回転することで、連動アーム１７５のつめ部１７７が、押さえ板１７８の窪みを移動する。
【００２５】
りゅうず１８１が引かれていない状態では、つめ部１７７は押さえ板１７８の最も下側の窪みに嵌っている。接触ばね部１７４は接点部１７９Ａに接触している。ＣＰＵ２１０は、接触ばね部１７４が接点部１７９Ｂ，１７９Ｃに接触していないことで、りゅうず１８１が引かれていない状態であることを検知する。
【００２６】
りゅうず１８１が１段引かれると、巻真１７１が引き出され、段差凹部１７３が右に移動して連動アーム１７５が右に（時計回りに）回転する。これに応じて、つめ部１７７は押さえ板１７８の最も下側の窪みから外れて下から２段目の窪みに嵌り、接触ばね部１７４は接点部１７９Ａから接点部１７９Ｂに移動して接触する。接触する接点の変化により、ＣＰＵ２１０は、りゅうず１８１が１段引かれたことを検知する。
【００２７】
りゅうず１８１がさらに１段引かれて２段引きになると、つめ部１７７は押さえ板１７８の下から２段目の窪みから外れて下から３段目（最も上側）の窪みに嵌り、接触ばね部１７４は接点部１７９Ｂから接点部１７９Ｃに移動して接触する。接触する接点の変化により、ＣＰＵ２１０は、りゅうず１８１が２段引かれたことを検知する。
【００２８】
りゅうず１８１が１段戻されて１段引きになると、接触ばね部１７４は接点部１７９Ｃから接点部１７９Ｂに移動して接触し、ＣＰＵ２１０は、りゅうず１８１が１段引かれたことを検知する。りゅうず１８１がさらに戻されて引かれていない状態になると、接触ばね部１７４は接点部１７９Ｂから接点部１７９Ａに移動して接触する。ＣＰＵ２１０は、接触ばね部１７４が接点部１７９Ｂ，１７９Ｃに接触していないことで、りゅうず１８１が引かれていない状態であることを検知する。
【００２９】
図４は、第１の実施形態に係るアナログ電子時計１００の機能切り替えにおける状態遷移図である。図４を参照しながら、ＣＰＵ２１０が提供する時刻表示機能、ストップウォッチ機能、アラーム機能およびタイマー機能を説明し、続いて機能の切り替えについて説明する。
【００３０】
アナログ電子時計１００の基本となる機能は、時刻表示機能であって、アナログ電子時計１００は図４の左上に記載の時刻通常状態３１１にある。
時刻通常状態３１１において、文字盤１１０の時針１１３と分針１１２と秒針１１１とは、現在時刻を表示する。モード針１３１は機能窓１３０の「Ｓｕ」〜「Ｓ」を指し示して、現在日の曜日を表示する。また、開口部１４１には、現在日の日付が表される。小窓１２０の小時針１２２と小分針１２１とは、ワールドタイムに設定されている都市の現在時刻を表示する。
【００３１】
時刻通常状態３１１において、りゅうず１８１が１段引かれると、アナログ電子時計１００はワールドタイム都市選択状態（図４では「ＷＴ都市選択」と記載）３１２に遷移する。秒針１１１は設定されているワールドタイムの都市を、文字盤１１０の周辺部の都市名で指し示す。利用者がりゅうず１８１を回転すると、秒針１１１が回転し、ワールドタイムとして設定する都市を選択することができる。りゅうず１８１が戻されることで都市の選択が確定し、小窓１２０の小分針１２１および小時針１２２は、選択された都市の時刻を表示する。
【００３２】
ワールドタイム都市選択状態３１２において、りゅうず１８１がさらに１段引かれて２段引きになると、アナログ電子時計１００はホームタイム都市選択状態（図４では「ＨＴ都市選択」と記載）３１３に遷移する。秒針１１１は、設定されているホームタイムの都市を、文字盤１１０の周辺部の都市名で指し示す。文字盤１１０の分針１１２および時針１１３が指し示す時刻は、表示中の都市の時刻である。利用者がりゅうず１８１を回転すると、秒針１１１が回転し、ホームタイムとして設定する都市を選択することができる。りゅうず１８１が１段戻されてワールドタイム都市選択状態３１２に遷移することでホームタイムの都市の選択が確定し、文字盤１１０の分針１１２および時針１１３は、選択された都市の時刻を表示する。
【００３３】
なお、ワールドタイム都市選択状態３１２において、ボタン１８２が繰り返し押下されることでサマータイムの設定が、常にサマータイムの設定、常にスタンダードタイムの設定、サマータイムとスタンダードタイムの自動切り替えの設定の順に切り替わる。この切り替わる際、機能窓１３０のモード針１３１は、常にサマータイムの設定を選択したときには「ＤＳＴ」を指し示し、常にスタンダードタイムの設定を選択したときには「ＳＴＤ」を指し示し、サマータイムとスタンダードタイムの自動切り替えの設定を選択したときには「ＡＴ」を指し示す。このサマータイムの設定については、ホームタイム都市選択状態３１３においても同様である。
【００３４】
次に、ストップウォッチ機能について説明する。ストップウォッチとしてのアナログ電子時計１００は、ストップウォッチ通常状態（図４では「ＳＴ通常」と記載）３２１にある。
図５は、第１の実施形態に係るストップウォッチ通常状態３２１のアナログ電子時計１００の正面図である。モード針１３１は機能窓１３０の「ＳＴ」を指し示し、秒針１１１は文字盤１１０の１２時を指し示し、小分針１２１および小時針１２２は小窓１２０の１２時を指し示す。これは、ストップウォッチ機能において、ストップウォッチがリセットされた状態である。なお、分針１１２および時針１１３は、現在時刻を指し示す。
【００３５】
ストップウォッチ通常状態３２１において、ボタン１８３はストップウォッチのスタート・ストップボタンに相当し、ボタン１８３が押下されると、計時が開始される。小時針１２２、小分針１２１および秒針１１１が、ボタン１８３から押下されてからの経過時間の時、分、秒をそれぞれ指し示す。再びボタン１８３が押下されると計時が止まる。ボタン１８２が押下されると、ストップウォッチがリセットされ、小時針１２２、小分針１２１および秒針１１１は１２時を指し示す。
【００３６】
図４に戻って、ストップウォッチ通常状態３２１において、りゅうず１８１が１段引かれると、アナログ電子時計１００は無機能状態３２２に遷移する。無機能状態３２２においては、ボタン１８２を操作しても、アナログ電子時計１００は動作しない。りゅうず１８１が戻されると、アナログ電子時計１００はストップウォッチ通常状態３２１に戻る。
【００３７】
無機能状態３２２において、りゅうず１８１がさらに１段引かれて２段引きになると、ホームタイム都市選択状態３２３に遷移する。ホームタイム都市選択状態３２３は、ホームタイム都市選択状態３１３と同様であって、ホームタイムの都市選択やサマータイム設定が可能である。ホームタイム都市選択状態３２３でりゅうず１８１が１段戻されると、無機能状態３２２に遷移する。
【００３８】
続いて、アラーム機能について説明する。アラームとしてのアナログ電子時計１００は、アラーム通常状態３３１にある。アラーム通常状態３３１では、モード針１３１は機能窓１３０の「ＡＬ」を指し示し、小窓１２０の小分針１２１および小時針１２２は、現時点で設定されているアラーム時刻を指し示す。秒針１１１は、アラームがＯＮの時には１８秒の方向の「Ｙ」（図１参照）を指し示し、アラームがＯＦＦの時には２２秒の方向の「Ｎ」（図１参照）を指し示す。アラーム通常状態３３１においてボタン１８３が押下されることで、アラームのＯＮとＯＦＦとが切り替わる。
【００３９】
アラーム通常状態３３１においてりゅうず１８１が１段引かれると、アラーム時刻設定状態３３２に遷移し、りゅうず１８１が回転されることで、小分針１２１および小時針１２２が回転してアラーム時刻が設定可能となる。アラーム時刻設定状態３３２においてりゅうずが戻されることでアラーム通常状態３３１に遷移する。
【００４０】
設定した時刻になるとアラーム音が報知され、何れかのボタン１８２，１８３が押下されるとアラーム音が停止する。なお、アラーム音に替えて、振動や光で報知してもよい。
アラーム時刻設定状態３３２において、りゅうず１８１がさらに１段引かれて２段引きになると、ホームタイム都市選択状態３３３に遷移する。ホームタイム都市選択状態３３３は、ホームタイム都市選択状態３１３と同様であって、ホームタイムの都市選択やサマータイム設定が可能である。ホームタイム都市選択状態３３３でりゅうず１８１が１段戻されると、アナログ電子時計１００は、アラーム時刻設定状態３３２に遷移する。
【００４１】
続いて、タイマー機能について説明する。タイマーとしてのアナログ電子時計１００は、タイマー通常状態３４１にある。タイマー通常状態３４１では、モード針１３１は機能窓１３０の「ＴＲ」を指し示し、秒針１１１、小窓１２０の小分針１２１および小時針１２２は、現時点で設定されているタイマー時間を指し示す。
【００４２】
タイマー通常状態３４１においてボタン１８３が押下されることで、タイマー（カウントダウン）が開始し、再度ボタン１８３が押下されるとタイマーが一時停止し、さらにボタン１８３が押下されるとタイマーが再開する。
タイマー通常状態３４１においてりゅうず１８１が１段引かれると、タイマー設定状態３４２に遷移し、りゅうず１８１が回転されることで、秒針１１１、小分針１２１および小時針１２２が回転してタイマー時間が設定可能となる。タイマー設定状態３４２においてりゅうず１８１が戻されることでタイマー通常状態３４１に遷移する。
【００４３】
設定した時間が経過するとアラーム音が報知され、何れかのボタン１８２，１８３が押下されるとアラーム音が停止する。アラーム音に替えて、振動や光で報知してもよい。
タイマー設定状態３４２において、りゅうず１８１がさらに１段引かれて２段引きになると、ホームタイム都市選択状態３４３に遷移する。ホームタイム都市選択状態３４３は、ホームタイム都市選択状態３１３と同様であって、ホームタイムの都市選択やサマータイム設定が可能である。ホームタイム都市選択状態３４３でりゅうず１８１が１段戻されると、アナログ電子時計１００は、タイマー設定状態３４２に遷移する。
【００４４】
以上、アナログ電子時計１００の時刻表示機能、ストップウォッチ機能、アラーム機能およびタイマー機能を説明した。続いて、機能の切り替えについて説明する。
アナログ電子時計１００においては、りゅうず１８１が引かれていない状態では、機能は切り替わらず、りゅうず１８１が１段引かれた状態でボタン１８３が押下されて切り替わる。詳しくは、りゅうず１８１が１段引かれた状態でボタン１８３が繰り返し押下されることで、りゅうず１８１が１段引かれたときの状態である、時刻表示機能のワールドタイム都市選択状態３１２、ストップウォッチ機能の無機能状態３２２、アラーム機能のアラーム時刻設定状態３３２およびタイマー機能のタイマー設定状態３４２の順に遷移する。タイマー設定状態３４２においてボタン１８３が押下されると、ワールドタイム都市選択状態３１２に戻る。
【００４５】
りゅうず１８１の通常の状態である引かれていない状態では、機能の切り替えは発生しない。機能の切り替えるためには、りゅうず１８１を１段引くという、通常とは異なった状態にする必要がある。このため、利用者は、機能を切り替えることを意識して、りゅうず１８１を操作することになる。結果として、利用者が誤って機能を切り替えたり、誤って切り替えた機能（状態）のまま操作を続けたりすることが抑制され、誤操作を減らすことができる。延いては操作性が向上する。
従来のアナログ電子時計には、機能切り替えるためのボタンを備えたものがあった。アナログ電子時計１００の機能切り替えでは、機能切り替え用のボタンは不要となっており、少ないボタンで同等の機能を有し、機能の切り替えができる。
【００４６】
第１の実施形態では、りゅうず１８１を１段引いて、初めて機能切り替えが可能となることで、誤操作を抑止していた。第２の実施形態では、携帯端末と連携して機能を切り替える。
【００４７】
図６は、第２の実施形態に係るアナログ電子時計１００Ａの機能切り替えシステム５００の全体構成を示す図である。機能切り替えシステム５００は、アナログ電子時計１００Ａおよび携帯端末４００を含んで構成される。アナログ電子時計１００Ａおよび携帯端末４００は、Bluetooth（登録商標）などの近距離無線通信技術により接続される。
【００４８】
アナログ電子時計１００Ａの外観は、アナログ電子時計１００（図１参照）と同様である。携帯端末４００のアナログ電子時計１００Ａ対応のアプリケーションから指示することで、利用者はアナログ電子時計１００Ａの時刻表示機能、ストップウォッチ機能、アラーム機能およびタイマー機能を選択し切り替えて、利用することができる。
【００４９】
図７は、第２の実施形態に係るアナログ電子時計１００Ａの内部構成を示すブロック図である。アナログ電子時計１００（図２参照）と比較して、近距離無線通信モジュール２７０が備わる。近距離無線通信モジュール２７０は、携帯端末４００との間でBluetooth通信を行うためのデバイスである。ＣＰＵ２１０は、近距離無線通信モジュール２７０に通信データを出力することで携帯端末４００にデータを送信する。逆に、携帯端末４００から受信したデータは、近距離無線通信モジュール２７０からＣＰＵ２１０に出力される。
【００５０】
図８は、第２の実施形態に係る携帯端末４００の内部構成を示すブロック図である。携帯端末４００は、ＣＰＵ４１０、記憶部４２０、タッチパネルディスプレイ４３０および近距離無線通信モジュール４４０を含んで構成される。
【００５１】
記憶部４２０は、ＲＯＭ４２１、ＲＡＭ４２２およびフラッシュメモリ４２３を含んで構成される。フラッシュメモリ４２３には、アナログ電子時計１００Ａとの連携プログラム（不図示）が記憶される。ＣＰＵ４１０は、連携プログラムをＲＡＭ４２２にロードして実行することで、アナログ電子時計１００との連携機能を利用者に提供する。連携機能については、後記する図９を参照しながら説明する。
【００５２】
タッチパネルディスプレイ４３０は、利用者の操作を受け付けたり、表示したりするデバイスである。近距離無線通信モジュール４４０は、アナログ電子時計１００Ａとの間でBluetooth通信を行うためのデバイスである。
【００５３】
図９は、第２の実施形態に係る連携プログラムの実行中にタッチパネルディスプレイ４３０に表示される機能切り替え画面４８０の画面構成図である。機能切り替え画面４８０の上部には、メニューアイコン４８２、タイトル４８１、閉じるボタン４８３が配置される。
【００５４】
タイトル４８１は、表示中の画面がアナログ電子時計１００Ａの機能を切り替える操作用の画面であることを示している。メニューアイコン４８２がタッチされることで、機能切り替え画面４８０以外の画面を選択して遷移することができる。機能切り替え画面４８０以外の画面として、例えばアナログ電子時計１００Ａとの無線通信接続を設定する画面などがある。閉じるボタン４８３が押下されると、アナログ電子時計１００Ａとの無線通信接続が切断されて連携プログラムが終了する。
【００５５】
時刻ボタン４８４がタップされると、時刻表示機能が選択されて、時刻ボタン４８４が強調表示される。続けて、切り替え実行ボタン４８８がタップされると、時刻表示機能が選択されたことを示す信号がアナログ電子時計１００Ａに送信される。アナログ電子時計１００Ａは、ステップＳ１０３（後記する図１０参照）で送信された信号を受信する。
【００５６】
ストップウォッチボタン４８５、アラームボタン４８６およびタイマーボタン４８７についても時刻ボタン４８４と同様であって、タップされると強調表示され、続けて、切り替え実行ボタン４８８がタップされると、それぞれストップウォッチ機能、アラーム機能およびタイマー機能が選択されたことを示す信号がアナログ電子時計１００Ａに送信される。
【００５７】
図１０は、第２の実施形態に係る携帯端末４００との連携による機能切り替え処理のフローチャートである。図１０を参照しながら、アナログ電子時計１００Ａと携帯端末４００との接続開始から、時刻表示機能、ストップウォッチ機能、アラーム機能またはタイマー機能に移行するＣＰＵ２１０の処理を説明する。なお、アナログ電子時計１００Ａと携帯端末４００との接続設定（ペアリング）は完了しているとして説明する。
【００５８】
ステップＳ１０１においてＣＰＵ２１０は、操作部２６０のボタン１８２の長押しを検知する。
ステップＳ１０２においてＣＰＵ２１０は、携帯端末４００と通信路を接続する。
【００５９】
ステップＳ１０３においてＣＰＵ２１０は、携帯端末４００から信号を受信すれば（ステップＳ１０３→Ｙ）ステップＳ１０４へ進み、受信しなければ（ステップＳ１０３→Ｎ）ステップＳ１０３に戻る。
ステップＳ１０４においてＣＰＵ２１０は、受信した信号が、時刻表示機能の選択信号か、ストップウォッチ機能の選択信号か、アラーム機能の選択信号か、タイマー機能の選択信号かに応じて、それぞれステップＳ１０５〜Ｓ１０８に進む。
【００６０】
ステップＳ１０５〜Ｓ１０８については、後記する図１１を参照しながら説明する。図１１は、第２の実施形態に係るアナログ電子時計１００Ａの機能切り替えにおける状態遷移図である。アナログ電子時計１００の状態遷移図（図４参照）と比較して、時刻通常状態３１１、ストップウォッチ通常状態３２１、アラーム通常状態３３１およびタイマー通常状態３４１の間は、受信した信号に応じて遷移可能となっている。また、ワールドタイム都市選択状態３１２、無機能状態３２２、アラーム時刻設定状態３３２およびタイマー設定状態３４２の間と、ホームタイム都市選択状態３１３，３２３，３３３，３４３の間とについても同様であって、受信した信号に応じて遷移可能となっている。以下、ステップＳ１０５〜Ｓ１０８それぞれについて説明する。
【００６１】
ステップＳ１０５においてＣＰＵ２１０は、時刻表示機能の状態に遷移する。詳しくは、アナログ電子時計１００Ａが時刻通常状態３１１、ストップウォッチ通常状態３２１、アラーム通常状態３３１またはタイマー通常状態３４１であれば、時刻通常状態３１１に遷移する。アナログ電子時計１００Ａがワールドタイム都市選択状態３１２、無機能状態３２２、アラーム時刻設定状態３３２またはタイマー設定状態３４２であれば、ワールドタイム都市選択状態３１２に遷移する。アナログ電子時計１００Ａがホームタイム都市選択状態３１３，３２３，３３３，３４３であれば、ホームタイム都市選択状態３１３に遷移する。
【００６２】
ステップＳ１０６においてＣＰＵ２１０は、ストップウォッチ機能の状態に遷移する。詳しくは、アナログ電子時計１００Ａが時刻通常状態３１１、ストップウォッチ通常状態３２１、アラーム通常状態３３１またはタイマー通常状態３４１であれば、ストップウォッチ通常状態３２１に遷移する。アナログ電子時計１００Ａがワールドタイム都市選択状態３１２、無機能状態３２２、アラーム時刻設定状態３３２またはタイマー設定状態３４２であれば、無機能状態３２２に遷移する。アナログ電子時計１００Ａがホームタイム都市選択状態３１３，３２３，３３３，３４３であれば、ホームタイム都市選択状態３２３に遷移する。
【００６３】
ステップＳ１０７においてＣＰＵ２１０は、アラーム機能の状態に遷移する。詳しくは、アナログ電子時計１００Ａが時刻通常状態３１１、ストップウォッチ通常状態３２１、アラーム通常状態３３１またはタイマー通常状態３４１であれば、アラーム通常状態３３１に遷移する。アナログ電子時計１００Ａがワールドタイム都市選択状態３１２、無機能状態３２２、アラーム時刻設定状態３３２またはタイマー設定状態３４２であれば、アラーム時刻設定状態３３２に遷移する。アナログ電子時計１００Ａがホームタイム都市選択状態３１３，３２３，３３３，３４３であれば、ホームタイム都市選択状態３３３に遷移する。
【００６４】
ステップＳ１０８においてＣＰＵ２１０は、タイマー機能の状態に遷移する。詳しくは、アナログ電子時計１００Ａが時刻通常状態３１１、ストップウォッチ通常状態３２１、アラーム通常状態３３１またはタイマー通常状態３４１であれば、タイマー通常状態３４１に遷移する。アナログ電子時計１００Ａがワールドタイム都市選択状態３１２、無機能状態３２２、アラーム時刻設定状態３３２またはタイマー設定状態３４２であれば、タイマー設定状態３４２に遷移する。アナログ電子時計１００Ａがホームタイム都市選択状態３１３，３２３，３３３，３４３であれば、ホームタイム都市選択状態３４３に遷移する。
【００６５】
第１の実施形態では、りゅうず１８１が１段引かれた状態であるワールドタイム都市選択状態３１２、無機能状態３２２、アラーム時刻設定状態３３２またはタイマー設定状態３４２である場合に、機能の切り替えが可能である。第２の実施形態では、携帯端末４００から指示することで、任意の状態から利用者が選択した機能の状態に遷移することができる。
【００６６】
携帯端末４００と連携して、視認性の高い機能切り替え画面４８０（図９参照）を見ながら利用者は機能を切り替えるので、アナログ電子時計１００よりもさらに誤操作を抑制することができる。また、りゅうず１８１の状態に係らず機能を切り替えることができる。
【００６７】
第１の実施形態では、りゅうず１８１を１段引いた状態でボタン１８３を操作することで、機能が切り替えることとしたが、これに限られず、りゅうず１８１を２段引いた状態で機能が切り替わるようにしてもよい。または、りゅうず１８１を１段または２段引いた状態で機能が切り替わるようにしてもよい。
【００６８】
４つの主たる機能の切り替え方法を示したが、これに限定されるものではない。電池残量や高度、気圧、方位、温度などの表示機能を含めてもよい。または、時刻表示機能とストップウォッチ機能との切り替えなど、機能を限定してもよい。または、ボタン１８３で切り替え可能な機能を利用者が選択できるようにしてもよい。
【００６９】
本発明は、上記した実施形態に限定されることなく、その趣旨を逸脱しない範囲で変更することができる。例えば、アナログ電子時計１００，１００Ａは腕時計に限定されない。置時計や壁掛け時計であってもよい。また、アナログ表示に限定されない。デジタル表示やディスプレイ表示であってもよい。
【００７０】
以上、本発明のいくつかの実施形態および変形例について説明したが、これらの実施形態は、例示に過ぎず、本発明の技術的範囲を限定するものではない。本発明はその他のさまざまな実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７１】
以下に、この出願の願書に最初に添付した特許請求の範囲に記載した発明を付記する。付記に記載した請求項の項番は、この出願の願書に最初に添付した特許請求の範囲のとおりである。
【００７２】
≪付記≫
《請求項１》
本体部から引き出し可能なりゅうずと、操作部と、制御部と、を備え、
前記制御部は、
前記操作部が操作されることで切り替わるモードに対応する複数の機能を実行し、
前記操作部が操作された場合に前記りゅうずの引き出し状態に基づいて前記モードの切り替えを行うか否かを判断する
ことを特徴とする電子時計。
《請求項２》
前記りゅうずは、１段引きと２段引きの状態があり、
前記制御部は、前記操作部が操作された場合に、前記りゅうずが１段引きの状態、または２段引きの状態であれば前記モードの切り替えを実行する
ことを特徴とする請求項１に記載の電子時計。
《請求項３》
前記制御部は、前記操作部が操作された場合に、前記りゅうずが引き出されていない状態であれば前記モードの切り替えを実行しない
ことを特徴とする請求項１または２に記載の電子時計。
《請求項４》
前記電子時計は、通信装置と通信可能な通信モジュールを、さらに備え、
前記制御部は、前記通信装置から受信した信号に応じて前記モードの切り替えを実行する
ことを特徴とする請求項１〜３の何れか１項に記載の電子時計。
《請求項５》
前記複数の機能は、時刻表示、ストップウォッチ、アラーム、タイマーの何れかを含む
ことを特徴とする請求項１〜４の何れか１項に記載の電子時計。
《請求項６》
本体部から引き出し可能なりゅうずと、操作部と、制御部と、を備える電子時計の制御方法であって、
前記電子時計は、
前記操作部が操作されることで切り替わるモードに対応する複数の機能を実行し、
前記操作部が操作された場合に前記りゅうずの引き出し状態に基づいて前記モードの切り替えを行うか否かを判断する
ことを特徴とする制御方法。
【符号の説明】
【００７３】
１００，１００Ａ  アナログ電子時計（電子時計）
１０１  ケーシング（本体部）
１１０  文字盤
１１１  秒針
１１２  分針
１１３  時針
１２０  小窓
１２１  小分針
１２２  小時針
１３０  機能窓
１３１  モード針
１４１  開口部
１４２  日車
１８１  りゅうず
１８２，１８３  ボタン（操作部）
２１０  ＣＰＵ（制御部）
２７０  近距離無線通信モジュール（通信モジュール）
４００  携帯端末（通信装置）
【図１】
2020098107.tif 000003
【図２】
2020098107.tif 000004
【図３】
2020098107.tif 000005
【図４】
2020098107.tif 000006
【図５】
2020098107.tif 000007
【図６】
2020098107.tif 000008
【図７】
2020098107.tif 000009
【図８】
2020098107.tif 000010
【図９】
2020098107.tif 000011
【図１０】
2020098107.tif 000012
【図１１】
2020098107.tif 000013